(57)【要約】【課題】内部共振による過電圧を抑制することができる負荷時タップ切替変圧器及びその運転方法を提供する。【解決手段】主巻線３０と、主巻線３０に直列接続された粗タップ巻線４０と、主巻線３０又は粗タップ巻線４０の何れかに直列接続可能な密タップ巻線５０と、中性点Ｏを密タップ巻線５０のタップ端子４〜１０、又は粗タップ巻線４０の端子２に選択的に接続させるタップ選択器と、密タップ巻線５０を主巻線３０又は粗タップ巻線４０の何れかに直列接続させる転位切替器と、を備え、同じ一次電圧に対応した接続態様であるＴａｐ−Ｂ及びＴａｐ−Ｃを取り得るところ、タップ選択器７０及び転位切替器６０は、接続態様Ａにおいて一次電圧の降下に伴い電圧ＶになるときはＴａｐ−Ｃとし、接続態様Ｄにおいて一次電圧の上昇に伴い電圧ＶになるときはＴａｐ−Ｃとする。【選択図】図２
2022002277.tif 000002
【特許請求の範囲】
【請求項１】
主巻線と、
前記主巻線に直列接続された粗タップ巻線と、
前記主巻線又は前記粗タップ巻線の何れかに直列接続する密タップ巻線と、
中性点を前記密タップ巻線のタップ端子、又は前記粗タップ巻線に接続させるタップ選択器と、
前記密タップ巻線を前記主巻線又は前記粗タップ巻線の何れかに直列接続させる転位切替器と、
を備える負荷時タップ切替変圧器であって、
前記負荷時タップ切替変圧器に入力した電圧に対する前記負荷時タップ切替変圧器の内部の電圧の比を応答倍率とし、
一次電圧に対応して前記主巻線、前記粗タップ巻線、前記密タップ巻線及び前記中性点の接続態様が定められており、
前記タップ選択器及び前記転位切替器は、同一の一次電圧に対応した複数の前記接続態様のうち前記応答倍率が小さい前記接続態様で前記主巻線、前記粗タップ巻線、前記密タップ巻線及び前記中性点を接続する
ことを特徴とする負荷時タップ切替変圧器。
【請求項２】
請求項１に記載の負荷時タップ切替変圧器において、
前記接続態様として、
前記中性点が前記密タップ巻線に接続されるとともに前記密タップ巻線が前記粗タップ巻線に直列接続された接続態様Ａと、
前記中性点が前記粗タップ巻線に接続されるとともに前記密タップ巻線が前記粗タップ巻線に直列接続された接続態様Ｂと、
前記中性点が前記粗タップ巻線に接続されるとともに前記密タップ巻線が前記主巻線に直列接続された接続態様Ｃと、
前記中性点が前記密タップ巻線に接続されるとともに前記密タップ巻線が前記主巻線に直列接続された接続態様Ｄとが定められ、
前記接続態様Ｂ及び前記接続態様Ｃは、同一の一次電圧（以下、電圧Ｖ）に対応した複数の前記接続態様であり、
前記転位切替器及び前記タップ選択器は、
前記接続態様Ａにおいて一次電圧の降下に伴い前記電圧Ｖになるときは、前記応答倍率が小さい接続態様として前記接続態様Ｃにし、
前記接続態様Ｄにおいて一次電圧の上昇に伴い前記電圧Ｖになるときは、前記応答倍率が小さい接続態様として前記接続態様Ｃにする
ことを特徴とする負荷時タップ切替変圧器。
【請求項３】
主巻線と、
前記主巻線に直列接続された粗タップ巻線と、
前記主巻線又は前記粗タップ巻線の何れかに直列接続する密タップ巻線と、
中性点を前記密タップ巻線のタップ端子、又は前記粗タップ巻線に接続させるタップ選択器と、
前記密タップ巻線を前記主巻線又は前記粗タップ巻線の何れかに直列接続させる転位切替器と、
を備える負荷時タップ切替変圧器の運転方法であって、
前記負荷時タップ切替変圧器に入力した電圧に対する前記負荷時タップ切替変圧器の内部の電圧の比を応答倍率とし、
一次電圧に対応して前記主巻線、前記粗タップ巻線、前記密タップ巻線及び前記中性点の接続態様を定め、
同一の一次電圧に対応した複数の前記接続態様のうち前記応答倍率が小さくなる前記接続態様で前記タップ選択器及び前記転位切替器により前記主巻線、前記粗タップ巻線、前記密タップ巻線及び前記中性点を接続する
ことを特徴とする負荷時タップ切替変圧器の運転方法。
【請求項４】
請求項３に記載の負荷時タップ切替変圧器の運転方法において、
前記接続態様として、
前記中性点が前記密タップ巻線に接続されるとともに前記密タップ巻線が前記粗タップ巻線に直列接続された接続態様Ａと、
前記中性点が前記粗タップ巻線に接続されるとともに前記密タップ巻線が前記粗タップ巻線に直列接続された接続態様Ｂと、
前記中性点が前記粗タップ巻線に接続されるとともに前記密タップ巻線が前記主巻線に直列接続された接続態様Ｃと、
前記中性点が前記密タップ巻線に接続されるとともに前記密タップ巻線が前記主巻線に直列接続された接続態様Ｄとを定め、
前記接続態様Ｂ及び前記接続態様Ｃを、同一の一次電圧（以下、電圧Ｖ）に対応した複数の前記接続態様とし、
前記接続態様Ａにおいて一次電圧の降下に伴い前記電圧Ｖになるときは、前記転位切替器及び前記タップ選択器により前記応答倍率が小さい接続態様として前記接続態様Ｃにし、
前記接続態様Ｄにおいて一次電圧の上昇に伴い前記電圧Ｖになるときは、前記転位切替器及び前記タップ選択器により前記応答倍率が小さい接続態様として前記接続態様Ｃにする
ことを特徴とする負荷時タップ切替変圧器の運転方法。
【発明の詳細な説明】
【技術分野】
【０００１】
本発明は、変電所等に設置される負荷時タップ切替変圧器及びその運転方法に関する。
【背景技術】
【０００２】
変電所には、負荷の変動に応じて電圧を変換するために負荷時タップ切替変圧器が設置されている。このような負荷時タップ切替変圧器は、例えば二次側の負荷電流の変動により二次電圧が変動した場合、電流が流れている状態のままでタップを切り替えることで巻数比を切り替え、二次側の電圧を調整する。
【０００３】
このような負荷時タップ切替変圧器の一例として、特許文献１には、主巻線、粗タップ巻線及び密タップ巻線を備えたものが開示されている。粗タップ巻線は、主巻線に直列接続されている。密タップ巻線は、転位切替器を介して粗タップ巻線又は主巻線に直列接続することが可能であり、また、複数のタップが設けられている。このような負荷時タップ切替変圧器では、密タップ巻線の接続先やタップの接続位置を適宜切り替えることにより、負荷の変動が生じても二次側に一定の電圧が供給されるように電圧が変換される。
【０００４】
通常、負荷時タップ切替変圧器は、避雷器によって振動性雷サージ電圧から保護されている。振動性雷サージ電圧は、送電線への雷撃により生じるものであるが、避雷器の制限電圧以下であっても共振により負荷時タップ切替変圧器の内部で過電圧が生じる虞がある。そして、この過電圧は、密タップ巻線やタップの接続態様によって大きくなる場合がある。
【先行技術文献】
【特許文献】
【０００５】
【特許文献１】特開昭６０−１１１４０６号公報
【発明の概要】
【発明が解決しようとする課題】
【０００６】
本発明は、このような事情に鑑みてなされたものであり、内部共振による過電圧を抑制することができる負荷時タップ切替変圧器及びその運転方法を提供することを目的とする。
【課題を解決するための手段】
【０００７】
上記課題を解決する本発明の第１の態様は、主巻線と、前記主巻線に直列接続された粗タップ巻線と、前記主巻線又は前記粗タップ巻線の何れかに直列接続する密タップ巻線と、中性点を前記密タップ巻線のタップ端子、又は前記粗タップ巻線に接続させるタップ選択器と、前記密タップ巻線を前記主巻線又は前記粗タップ巻線の何れかに直列接続させる転位切替器と、を備える負荷時タップ切替変圧器であって、前記負荷時タップ切替変圧器に入力した電圧に対する前記負荷時タップ切替変圧器の内部の電圧の比を応答倍率とし、一次電圧に対応して前記主巻線、前記粗タップ巻線、前記密タップ巻線及び前記中性点の接続態様が定められており、前記タップ選択器及び前記転位切替器は、同一の一次電圧に対応した複数の前記接続態様のうち前記応答倍率が小さい前記接続態様で前記主巻線、前記粗タップ巻線、前記密タップ巻線及び前記中性点を接続することを特徴とする負荷時タップ切替変圧器にある。
【０００８】
本発明の第２の態様は、第１の態様に記載の負荷時タップ切替変圧器において、前記接続態様として、前記中性点が前記密タップ巻線に接続されるとともに前記密タップ巻線が前記粗タップ巻線に直列接続された接続態様Ａと、前記中性点が前記粗タップ巻線に接続されるとともに前記密タップ巻線が前記粗タップ巻線に直列接続された接続態様Ｂと、前記中性点が前記粗タップ巻線に接続されるとともに前記密タップ巻線が前記主巻線に直列接続された接続態様Ｃと、前記中性点が前記密タップ巻線に接続されるとともに前記密タップ巻線が前記主巻線に直列接続された接続態様Ｄとが定められ、前記接続態様Ｂ及び前記接続態様Ｃは、同一の一次電圧（以下、電圧Ｖ）に対応した複数の前記接続態様であり、前記転位切替器及び前記タップ選択器は、前記接続態様Ａにおいて一次電圧の降下に伴い前記電圧Ｖになるときは、前記応答倍率が小さい接続態様として前記接続態様Ｃにし、前記接続態様Ｄにおいて一次電圧の上昇に伴い前記電圧Ｖになるときは、前記応答倍率が小さい接続態様として前記接続態様Ｃにすることを特徴とする負荷時タップ切替変圧器にある。
【０００９】
本発明の第３の態様は、主巻線と、前記主巻線に直列接続された粗タップ巻線と、前記主巻線又は前記粗タップ巻線の何れかに直列接続する密タップ巻線と、中性点を前記密タップ巻線のタップ端子、又は前記粗タップ巻線に接続させるタップ選択器と、前記密タップ巻線を前記主巻線又は前記粗タップ巻線の何れかに直列接続させる転位切替器と、を備える負荷時タップ切替変圧器の運転方法であって、前記負荷時タップ切替変圧器に入力した電圧に対する前記負荷時タップ切替変圧器の内部の電圧の比を応答倍率とし、一次電圧に対応して前記主巻線、前記粗タップ巻線、前記密タップ巻線及び前記中性点の接続態様を定め、同一の一次電圧に対応した複数の前記接続態様のうち前記応答倍率が小さくなる前記接続態様で前記タップ選択器及び前記転位切替器により前記主巻線、前記粗タップ巻線、前記密タップ巻線及び前記中性点を接続することを特徴とする負荷時タップ切替変圧器の運転方法にある。
【００１０】
本発明の第４の態様は、第３の態様に記載の負荷時タップ切替変圧器の運転方法において、前記接続態様として、前記中性点が前記密タップ巻線に接続されるとともに前記密タップ巻線が前記粗タップ巻線に直列接続された接続態様Ａと、前記中性点が前記粗タップ巻線に接続されるとともに前記密タップ巻線が前記粗タップ巻線に直列接続された接続態様Ｂと、前記中性点が前記粗タップ巻線に接続されるとともに前記密タップ巻線が前記主巻線に直列接続された接続態様Ｃと、前記中性点が前記密タップ巻線に接続されるとともに前記密タップ巻線が前記主巻線に直列接続された接続態様Ｄとを定め、前記接続態様Ｂ及び前記接続態様Ｃを、同一の一次電圧（以下、電圧Ｖ）に対応した複数の前記接続態様とし、前記接続態様Ａにおいて一次電圧の降下に伴い前記電圧Ｖになるときは、前記転位切替器及び前記タップ選択器により前記応答倍率が小さい接続態様として前記接続態様Ｃにし、前記接続態様Ｄにおいて一次電圧の上昇に伴い前記電圧Ｖになるときは、前記転位切替器及び前記タップ選択器により前記応答倍率が小さい接続態様として前記接続態様Ｃにすることを特徴とする負荷時タップ切替変圧器の運転方法にある。
【発明の効果】
【００１１】
本発明によれば、同一の一次電圧（電圧Ｖ）に対応した複数の接続態様を取り得るところ、応答倍率が小さい接続態様で主巻線、粗タップ巻線、密タップ巻線及び中性点を接続させる。これにより、一次電圧の変化によって電圧Ｖになるときは、応答倍率が小さい接続態様を選択するので雷撃などを原因とする内部共振による過電圧を抑えることができ、絶縁破壊を抑制することができる。
【図面の簡単な説明】
【００１２】
【図１】一実施形態に係る負荷時タップ切替変圧器の構成を示す概略図である。
【図２】一実施形態に係る負荷時タップ切替変圧器の接続態様を示す概略図である。
【図３】一次電圧に応じた転位切替器及びタップ選択器の動作を示す概略図である。
【図４】一次電圧に応じた転位切替器及びタップ選択器の動作を示す概略図である。
【図５】各Ｔａｐ−Ａ〜Ｔａｐ−Ｄについて周波数と応答倍率との関係を示す図である。
【図６】Ｔａｐ−Ｂ及びＴａｐ−Ｃの結線を示す図である。
【発明を実施するための形態】
【００１３】
図面を用いて、本発明の負荷時タップ切替変圧器及びその運転方法の一実施形態について説明する。図１に示すように、負荷時タップ切替変圧器Ｉは、鉄心２０に巻回された主巻線３０、粗タップ巻線４０、密タップ巻線５０を備えている。鉄心２０に近い方から遠い方に向かって、主巻線３０、粗タップ巻線４０、密タップ巻線５０の順で配置されており、各巻線が鉄心２０を中心に同心円状に配置されている。
【００１４】
なお、図１では、Ｕ相について、主巻線３０、粗タップ巻線４０、密タップ巻線５０を設けたものを図示しているが、Ｖ相、Ｗ相についても同様である。また、鉄心２０には図示しない二次側の巻線が設けられている。
【００１５】
主巻線３０は、一端が一次側の線路端に接続され、他端が粗タップ巻線４０又は密タップ巻線５０が直列接続される。
【００１６】
粗タップ巻線４０は、一端が主巻線３０に直列に接続され、他端が密タップ巻線５０又は中性点Ｏが接続される。
【００１７】
密タップ巻線５０は、一端が主巻線３０又は粗タップ巻線４０の一方に転位切替器６０により接続される。また、密タップ巻線５０には、複数のタップ端子４〜１０が設けられている。これらのタップ端子４〜１０は、タップ選択器７０により中性点Ｏが接続される。
【００１８】
転位切替器６０は、密タップ巻線５０を主巻線３０又は粗タップ巻線４０の何れかに直列接続させる装置である。すなわち、転位切替器６０が密タップ巻線５０の一端である端子３を端子１に接続すれば、密タップ巻線５０は主巻線３０に直列接続することになる。また、転位切替器６０が密タップ巻線５０の端子３を端子２に接続すれば、密タップ巻線５０は粗タップ巻線４０に直列接続することになる。なお、転位切替器６０は、公知の装置であるため、詳細な構成の説明は省略する。
【００１９】
タップ選択器７０は、中性点Ｏをタップ端子４〜１０、又は粗タップ巻線４０の一端（主巻線３０とは反対側の端部）の端子２の何れかに接続させる装置である。なお、タップ選択器７０は、図示しない切替開閉器と共に駆動して、上述した中性点Ｏとタップ端子４〜１０又は端子２とを接続させるものであるが、公知の装置であるため詳細な構成の説明は省略する。
【００２０】
図２は、負荷時タップ切替変圧器Ｉの接続態様を示す図である。上述した構成の負荷時タップ切替変圧器Ｉでは、各巻線及び中性点Ｏがとりうる接続態様が定められており、大別して４つある。４つの接続態様をＴａｐ−Ａ（請求項の接続態様Ａ）、Ｔａｐ−Ｂ（請求項の接続態様Ｂ）、Ｔａｐ−Ｃ（請求項の接続態様Ｃ）、Ｔａｐ−Ｄ（請求項の接続態様Ｄ）と称する。Ｔａｐ−Ａ、Ｔａｐ−Ｂ、Ｔａｐ−Ｃ、Ｔａｐ−Ｄは、何れも主巻線３０に粗タップ巻線４０が直列に接続されている。
【００２１】
図２（ａ）に示すように、Ｔａｐ−Ａは、転位切替器６０により端子２と端子３が接続されることで、密タップ巻線５０が粗タップ巻線４０に直列に接続されている。また、中性点Ｏは、タップ選択器７０によりタップ端子４〜１０の何れかに接続されている。
【００２２】
図２（ｂ）に示すように、Ｔａｐ−Ｂは、転位切替器６０により端子２と端子３が接続されることで、密タップ巻線５０が粗タップ巻線４０に直列に接続されている。また、中性点Ｏは、タップ選択器７０により端子２に接続されている。
【００２３】
図２（ｃ）に示すように、Ｔａｐ−Ｃは、転位切替器６０により端子１と端子３が接続されることで、密タップ巻線５０が主巻線３０に直列に接続されている。また、中性点Ｏは、タップ選択器７０により端子２に接続されている。
【００２４】
図２（ｄ）に示すように、Ｔａｐ−Ｄは、転位切替器６０により端子１と端子３が接続されることで、密タップ巻線５０が主巻線３０に直列に接続されている。また、中性点Ｏは、タップ選択器７０によりタップ端子４〜１０の何れかに接続されている。
【００２５】
【表１】
2022002277.tif 000003
【００２６】
表１に接続態様と一次電圧との関係を示す。一次電圧の列は、負荷時タップ切替変圧器Ｉに供給される一次電圧を表している。タップ選択器の列は、タップ選択器により中性点Ｏと接続されるタップ端子４〜１０の組み合わせを表している。転位切替器の列は、転位切替器により接続される端子１〜３の組み合わせを表している。
【００２７】
また、粗タップ巻線の列は、粗タップ巻線が使用されているか、又は不使用であるかを表している。Ｔａｐ−Ａ〜Ｔａｐ−Ｃは，図２（ａ）〜図２（ｃ）に示すように、粗タップ巻線４０は電流が流れ、電圧変換に寄与する使用状態である。一方、Ｔａｐ−Ｄは図２（ｄ）に示すように、粗タップ巻線４０は電流が流れず、電圧変換に寄与しない不使用状態である。
【００２８】
また、密タップ巻線の列は、密タップ巻線が電圧変換に使用されているか、又は不使用であるかを表している。Ｔａｐ−Ａ及びＴａｐ−Ｄは，図２（ａ）及び図２（ｄ）に示すように、密タップ巻線５０は電流が流れ、電圧変換に寄与する使用状態である。一方、Ｔａｐ−Ｂ及びＴａｐ−Ｃは，図２（ｂ）及び図２（ｃ）に示すように、密タップ巻線５０は電流が流れず、電圧変換に寄与しない不使用状態である。
【００２９】
表１に示すように、Ｔａｐ−Ａは一次電圧が相対的に高いときに用いられ、Ｔａｐ−Ｄは一次電圧が相対的に低いときに用いられる。また、Ｔａｐ−Ｂ及びＴａｐ−Ｃは、同じ一次電圧（以下、電圧Ｖ）に対応した接続態様である。
【００３０】
より具体的に、図３及び図４を用いて、一次電圧に応じた各Ｔａｐ−Ａ〜Ｔａｐ−Ｄの使い分けについて説明する。図３及び図４は、一次電圧に応じた転位切替器及びタップ選択器の動作を示す概略図である。
【００３１】
図３（ａ）に示すように、例えば、負荷時タップ切替変圧器Ｉに供給される一次電圧が７１ｋＶであれば、転位切替器６０は、端子２と端子３とを接続し、タップ選択器７０は、中性点Ｏをタップ端子１０に接続する。その後、さらに一次電圧が降下すればその一次電圧に応じて、タップ選択器７０は、中性点Ｏをタップ端子１０からタップ端子９、タップ端子８、・・・、タップ端子４に順次切替える。
【００３２】
図３（ｂ）に示すように、さらに一次電圧が降下して６４ｋＶ（電圧Ｖ）になったときは、Ｔａｐ−Ｂ、Ｔａｐ−Ｃの何れの接続態様であってもよいところ、本発明の負荷時タップ切替変圧器Ｉでは、Ｔａｐ−Ｃを用いる。すなわち、タップ選択器７０は、タップ端子４に接続した状態の中性点Ｏを端子２に接続することで密タップ巻線５０を不使用とする。そして、転位切替器６０は、端子３を端子１に接続させることで密タップ巻線５０を主巻線３０に直列接続させる。
【００３３】
つまり、Ｔａｐ−Ａを用いている状態において、一次電圧が降下したことに伴い密タップ巻線５０を不使用とするときは、端子２と端子３とが接続したままの状態でもよいところ（Ｔａｐ−Ｂ）、本発明では、転位切替器６０により端子１と端子３との接続に切替えてＴａｐ−Ｃとする。一次電圧の降下に伴い、Ｔａｐ−ＢではなくＴａｐ−Ｃにすることによる効果については後述する。
【００３４】
一方、図４（ａ）に示すように、負荷時タップ切替変圧器Ｉに供給される一次電圧が５７ｋＶであれば、転位切替器６０は、端子１と端子３とを接続し、タップ選択器７０は、中性点Ｏをタップ端子４に接続する。その後、さらに一次電圧が上昇すればその一次電圧に応じて、タップ選択器７０は、中性点Ｏをタップ端子４からタップ端子５、タップ端子６、・・・、タップ端子１０に順次切替える。
【００３５】
そして、図４（ｂ）に示すように、さらに一次電圧が上昇して６４ｋＶ（電圧Ｖ）になったときは、Ｔａｐ−Ｂ、Ｔａｐ−Ｃの何れの接続態様であってもよいところ、本発明の負荷時タップ切替変圧器Ｉでは、Ｔａｐ−Ｃを用いる。すなわち、タップ選択器７０は、タップ端子１０に接続した状態の中性点Ｏを端子２に接続することで密タップ巻線５０を不使用とする。転位切替器６０は、端子３と端子１との接続を維持する。すなわち、密タップ巻線５０を主巻線３０に直列接続した状態を維持する。
【００３６】
このように、一次電圧が上昇又は降下の何れの場合であっても、密タップ巻線５０を不使用とするときは、Ｔａｐ−ＢではなくＴａｐ−Ｃの状態とする。
【００３７】
図５を用いて、上述した構成の負荷時タップ切替変圧器Ｉの効果について説明する。図５は、各Ｔａｐ−Ａ〜Ｔａｐ−Ｄについて周波数と応答倍率との関係を示す図である。共振周波数ｆｒの負荷時タップ切替変圧器Ｉに入力した電圧をＶｉ、負荷時タップ切替変圧器Ｉの内部の電圧をＶｏとすると、応答倍率とは、Ｖｏ（ｆｒ）／Ｖｉ（ｆｒ）と定義される。同図の例では、密タップ巻線５０のタップ端子１０における電圧をＶｏとした。
【００３８】
図５（ｂ）に示すように、Ｔａｐ−Ａ〜Ｔａｐ−Ｄのそれぞれの最大の応答倍率をみると、Ｔａｐ−Ｂの応答倍率が０．０２７であり、最も大きい。Ｔａｐ−Ｄの応答倍率は０．０１６であり最も小さく、Ｔａｐ−ＢはＴａｐ−Ｄに対して１．６９倍（＝０．０２７／０．０１６）である。また、Ｔａｐ−Ｃの応答倍率は０．０２０であり、Ｔａｐ−ＢはＴａｐ−Ｃに対して１．３５倍（０．０２７／０．０２０）である。つまり、応答倍率は、Ｔａｐ−Ａ〜Ｔａｐ−Ｄの接続態様による影響が大きいことがわかる。
【００３９】
特に、Ｔａｐ−Ｂと、Ｔａｐ−Ｃとは同じ一次電圧であるにも関わらず応答倍率が異なっている。Ｔａｐ−Ｂの方がＴａｐ−Ｃよりも応答倍率が大きいため、共振による過電圧も大きいことになり、共振による絶縁破壊の可能性が高い。したがって、同じ一次電圧であっても、Ｔａｐ−ＢではなくＴａｐ−Ｃを選択する方が共振による絶縁破壊を抑制することができる。
【００４０】
図６を用いて、同じ一次電圧であるにも関わらず、Ｔａｐ−ＢとＴａｐ−Ｃとで応答倍率が異なる理由について説明する。図６は、Ｔａｐ−Ｂ及びＴａｐ−Ｃの結線を示す図である。
【００４１】
同図に示すように、Ｔａｐ−Ｃの場合、巻線の直列静電容量に、粗タップ巻線４０と密タップ巻線５０の間の静電容量が加わるため、全体としての直列静電容量がＴａｐ−Ｂよりも大きくなる。直列静電容量が大きいほど応答倍率が小さくなると考えられる。このため、図５に示したように、Ｔａｐ−ＢよりＴａｐ−Ｃの方が、応答倍率が小さくなったと考えられる。
【００４２】
以上に説明した本発明の負荷時タップ切替変圧器Ｉ及びその運転方法は、一次電圧が降下する方向でタップ端子を替えていく過程ではＴａｐ−ＡからＴａｐ−Ｃに切替える（図３参照）。また、一次電圧が上昇する方向でタップ端子を替えていく過程ではＴａｐ−ＤからＴａｐ−Ｃに切替える（図４参照）。Ｔａｐ−Ｂ及びＴａｐ−Ｃは何れも同一の一次電圧（電圧Ｖ）に対応したものであるが、Ｔａｐ−Ｃの方が応答倍率は小さい。このように一次電圧の降下又は上昇にともなって電圧ＶになるときはＴａｐ−Ｂ又はＴａｐ−Ｃが取り得るところ、応答倍率が小さい接続態様であるＴａｐ−Ｃにする。
【００４３】
このような本発明によれば、一次電圧の変化によって電圧Ｖになるときは、応答倍率が小さい接続態様であるＴａｐ−Ｃにするので、応答倍率が大きい接続態様であるＴａｐ−Ｂを用いる場合と比較して、雷撃などを原因とする共振による過電圧を抑えることができ、絶縁破壊を抑制することができる。
【００４４】
以上、本発明の一実施形態について説明したが、勿論、本発明は、上述の実施形態に限定されるものではない。
【００４５】
同じ一次電圧に対応した複数の接続態様としてＴａｐ−Ｂ、Ｔａｐ−Ｃを例示し、応答倍率が小さい接続態様としてＴａｐ−Ｃを例示したがこれに限定されない。同じ一次電圧に対応した複数の接続態様が取りえる場合、直列静電容量が大きくなる接続態様、すなわち応答倍率が小さくなる接続態様を選択すればよい。
【００４６】
また、上述した例では、負荷時タップ切替変圧器Ｉは内鉄形であるが、外鉄形であってもよい。鉄心２０については特に材料、構造について特に限定はない。さらに、鉄心２０に円筒状に主巻線３０を巻き、その外側に粗タップ巻線４０、さらにその外側に密タップ巻線５０を同心円状に巻いた円筒巻線及び別巻タップの構成を例示したが、これに限定されない。他に各巻線を円板巻線にした円板巻線及び別巻タップの構成や、タップ巻線を別途に巻くことなく、円板巻線の一部をタップ巻線とした構成など、様々な巻線構造についても本発明を適用できる。
【００４７】
また、例えば、密タップ巻線５０に設けられたタップ端子の数には特に限定はない。
【符号の説明】
【００４８】
Ｉ…負荷時タップ切替変圧器、Ｏ…中性点、４〜１０…タップ端子、２０…鉄心、３０…主巻線、４０…粗タップ巻線、５０…密タップ巻線、６０…転位切替器、７０…タップ選択器
【図１】
2022002277.tif 000004
【図２】
2022002277.tif 000005
【図３】
2022002277.tif 000006
【図４】
2022002277.tif 000007
【図５】
2022002277.tif 000008
【図６】
2022002277.tif 000009